【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
無線により他の端末装置と通信を行う電池駆動の携帯端末装置であって、
データを記憶する記憶手段と、
紛失状態にあることを検出する紛失検出手段と、
前記記憶手段に記憶されているデータの価値を表す価値評価指標を保持する価値情報保持手段と、
前記紛失検出手段により紛失状態が検出されると、前記価値情報保持手段に保持されている価値評価指標に基づいて前記記憶手段に記憶されているデータの回収順序を決定する回収順序決定手段と、
前記回収順序決定手段により決定された回収順序に基づいて前記記憶手段に記憶されているデータを他の端末装置に送信する送信手段と
を具備することを特徴とする携帯端末装置。
【請求項２】
電池の残容量を計測する電池残量計測手段と、
データの送信に要する消費電力量を保持する消費電力量保持手段とを具備し、
前記回収順序決定手段は、
前記電池残量計測手段により計測される電池の残容量と、前記消費電力量保持手段に保持されている消費電力量と、前記価値情報保持手段に保持されている価値評価指標とに基づいて、前記記憶手段に記憶されているデータの回収順序を決定することを特徴とする請求項１記載の携帯端末装置。
【請求項３】
前記回収順序決定手段は、前記電池残量計測手段により計測される電池の残容量を容量、前記消費電力量保持手段に保持されている消費電力量を重さ、前記価値情報保持手段に保持されているデータの価値評価指標を価値としてナップザック問題を解くことにより順序付けを行うことを特徴とする請求項２記載の携帯端末装置。
【請求項４】
前記回収順序決定手段は、データ送信毎に、前記電池残量計測手段により計測される電池の残容量と、前記消費電力量保持手段に保持されている消費電力量から得られる電池の予測残容量との差が所定値以上あるか判別し、差が所定値以上ある場合、回収順序を再計算することを特徴とする請求項３記載の携帯端末装置。
【請求項５】
前記回収順序決定手段は、前記電池残量計測手段により計測される電池の残容量の範囲内で送信可能な、回収に必要な電力量当りの価値評価指標の高い順序を、データの回収順序とすることを特徴とする請求項２記載の携帯端末装置。
【請求項６】
前記記憶手段に記憶されているデータに対してユーザの指示に基づいて前記価値評価指標を設定する価値情報設定手段を具備することを特徴とする請求項１ないし５のいずれかに記載の携帯端末装置。
【請求項７】
前記価値情報設定手段は、選択されたデータに対して入力された数値を価値評価指標として設定することを特徴とする請求項６記載の携帯端末装置。
【請求項８】
前記価値情報設定手段は、前記価値評価指標に基づいて順序付けられたデータの順序を入れ換え可能としたデータの優先順位リストに対して、入れ換えられたデータの順位に基づいてデータの価値評価指標を設定する請求項６記載の携帯端末装置。
【請求項９】
前記価値情報設定手段は、既に回収対象となっているデータの各々に対して、データに対する操作の回数を操作の種別毎に集計した値を算術的に処理した操作指標を求め、操作指標当りの価値評価指標の平均に、選択されたデータの操作指標を乗算した値を規定値として入力に先立ち設定することを特徴とする請求項６ないし８のいずれかに記載の携帯端末装置。
【請求項１０】
前記価値情報設定手段は、前記データが金銭価値を持つ場合、前記金銭価値に基づいて前記価値評価指標を算出することを特徴とする請求項６ないし９のいずれかに記載の携帯端末装置。
【請求項１１】
前記価値情報設定手段は、データに対する操作の内容に基づいて、前記価値評価指標を増減することを特徴とする請求項６ないし１０のいずれかに記載の携帯端末装置。
【請求項１２】
前記価値情報設定手段は、データを送信する際に、送信先に基づいて、前記データの前記価値評価指標を増減することを特徴とする請求項１１記載の携帯端末装置。
【請求項１３】
前記価値情報設定手段は、前記価値評価指標から送信を行う際にかかるコストに応じた値を差し引いた値に基づいて、前記価値評価指標を更新することを特徴とする請求項６ないし１０のいずれかに記載の携帯端末装置。
【請求項１４】
前記回収順序決定手段により決定された回収順序に基づいて、前記記憶手段に記憶されているデータから、紛失状態が検出されたときに回収すべき回収用データを事前に作成する回収用データ作成手段と、
前記回収用データを保存する回収用データ保持手段とを具備し、
前記送信手段は、紛失状態が検出されると、前記回収用データ保持手段に保存されている回収用データを他の端末装置に送信することを特徴とする請求項１ないし１３のいずれかに記載の携帯端末装置。
【請求項１５】
送信対象となる回収用データが圧縮可能なデータであった場合に、前記回収用データを予め指定された圧縮率で圧縮する圧縮手段を具備することを特徴とする請求項１４記載の携帯端末装置。
【請求項１６】
紛失状態にあると、無線により他の端末装置にデータを送信することで携帯端末装置内のデータを回収するデータ回収方法であって、
紛失状態にあることを検出すると、データの価値を表す価値評価指標に基づいて、データの回収順序を決定し、決定された回収順序に基づいてデータを他の端末装置に送信することを特徴とするデータ回収方法。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】変更
【補正の内容】
【００３７】
請求項１記載の発明によれば、紛失検出手段により紛失状態が検出されると、回収順序決定手段によって、価値情報保持手段に保持されている価値評価指標に基づいて記憶手段に記憶されているデータの回収順序を決定し、送信手段によって、回収順序決定手段により決定された回収順序に基づいて記憶手段に記憶されているデータを他の端末装置に送信するようにしたので、データの価値を表す数値である価値評価指標に基づいて、価値の高いデータから順に回収することで、重要なデータを優先的に保護することができるという利点が得られる。
【手続補正１７】
【補正対象書類名】明細書
【補正対象項目名】００５２
【補正方法】削除
【補正の内容】
【手続補正１８】
【補正対象書類名】明細書
【補正対象項目名】００５３
【補正方法】削除
【補正の内容】
【手続補正１９】
【補正対象書類名】明細書
【補正対象項目名】００５４
【補正方法】削除
【補正の内容】
【手続補正２０】
【補正対象書類名】明細書
【補正対象項目名】００５５
【補正方法】削除
【補正の内容】
【手続補正２１】
【補正対象書類名】明細書
【補正対象項目名】００５６
【補正方法】削除
【補正の内容】
【手続補正２２】
【補正対象書類名】明細書
【補正対象項目名】００５７
【補正方法】削除
【補正の内容】
【手続補正２３】
【補正対象書類名】明細書
【補正対象項目名】００５８
【補正方法】削除
【補正の内容】
【手続補正２４】
【補正対象書類名】明細書
【補正対象項目名】００５９
【補正方法】削除
【補正の内容】
【手続補正２５】
【補正対象書類名】明細書
【補正対象項目名】００６０
【補正方法】削除
【補正の内容】
【手続補正２６】
【補正対象書類名】明細書
【補正対象項目名】００６１
【補正方法】削除
【補正の内容】
【手続補正２７】
【補正対象書類名】明細書
【補正対象項目名】００６２
【補正方法】削除
【補正の内容】
【手続補正２８】
【補正対象書類名】明細書
【補正対象項目名】００６３
【補正方法】削除
【補正の内容】
【手続補正２９】
【補正対象書類名】明細書
【補正対象項目名】００６４
【補正方法】削除
【補正の内容】
【手続補正３０】
【補正対象書類名】明細書
【補正対象項目名】００６５
【補正方法】削除
【補正の内容】
【手続補正３１】
【補正対象書類名】明細書
【補正対象項目名】００８６
【補正方法】変更
【補正の内容】
【００８６】
Ｃ．第３実施形態
次に、本発明の第３実施形態について説明する。
Ｃ−１．第３実施形態の構成
図９は、本発明の第３実施形態による携帯端末装置の構成を示すブロック図である。なお、図１に対応する部分には同一の符号を付けて説明を省略する。図９において、入力部１０１は、ユーザが操作を行うためのものである。表示部１０３は、ユーザに情報を提示するためのものである。価値情報設定部１１１は、画像等の、データ作成あるいは保存時に自動的に価値を決定することが困難なデータに対する価値評価指標の設定を行う。また、電子マネー等の金銭価値を持つデータについては、残高に基づき価値評価指標を付加する。購入したデータについては、購入時の金額あるいは、時価に基づき価値評価指標を付加する。価値評価指標の入力結果は、二次記憶装置１０５内の価値情報保持部１１５に保存される。